(57)【要約】【課題】電話交換機に接続された電話機の使用者が意図しないフックフラッシュ信号が電話交換機に送られた場合でも、保留再呼や転送が行われない電話交換機を提供することを目的とする。【解決手段】本発明は、フック検出回路１３１ａ〜１３１ｎで所定時間範囲の時間長のフック操作を受信したときに、動作判定手段１６ｂによりアナログ電話機２が外線通話または内線通話をしている状態であると判定すると、通話を保留状態とし、その後アナログ電話機２が所定時間範囲以上の時間長のフック操作をした判定すると、通話の保留状態を解除し、外線通話または内線通話を終了するモードを有する構成とする。【選択図】  図１
2004282338.tif 000002
【特許請求の範囲】
【請求項１】
アナログ電話機を接続することができる内線インターフェイスと、
前記内線インターフェイスに接続されたアナログ電話機のフック操作を検出するフック検出手段と、
前記アナログ電話機の状態を判定する動作判定手段と、
前記フック検出手段で所定時間範囲の時間長のフック操作を受信したときに、前記動作判定手段により前記アナログ電話機が外線通話または内線通話をしている状態であると判定すると、前記通話を保留状態する制御手段とを備え、
前記制御手段は、
前記通話が保留状態のときに、アナログ電話機が所定時間範囲以上の時間長のフック操作をした判定すると、前記通話の保留状態を解除し、前記外線通話または内線通話を終了する第１のモードを有することを特徴とする電話交換機。
【請求項２】
前記制御手段は、
前記外線通話または内線通話が保留状態のときに、前記動作判定手段により前記アナログ電話機から外線発信があったと判定すると、前記通話の保留状態を解除し、前記外線通話または内線通話を終了する第２のモードを備えることを特徴とする請求項１記載の電話交換機。
【請求項３】
前記制御手段は、
前記外線通話または内線通話が保留状態のときに、前記動作判定手段により前記アナログ電話機から内線発信があったと判定すると、前記通話の保留状態を解除し、前記外線通話または内線通話を終了する第３のモードを備えることを特徴とする請求項１または２に記載の電話交換機。
【請求項４】
内線インターフェイス毎に、少なくとも前記第１のモード、前記第２のモード、前記第３のモードのいずれかが設定可能にされたことを特徴とする請求項３記載の電話交換機。
【発明の詳細な説明】
【０００１】
【発明の属する技術分野】
本発明は、外線通話または内線通話状態にあるアナログ電話機からの所定時間のフック信号を受信するとその通話状態を保留状態にする電話交換機に関するものである。
【０００２】
【従来の技術】
従来から、転送、三者通話、コールウェイティング等のサービスを利用するために、電話交換機に接続された電話機からのフックフラッシュ信号を受け付ける電話交換機がある（例えば、特許文献１参照）。
【０００３】
このような電話交換機は、他の電話機と通話中の電話機からフックフラッシュ信号を受け付けると、他の電話機との通話路を一旦保留状態にし、その後、電話機から所定の操作があると、転送やコールウェイティング呼の捕捉等のサービスを提供することができる。
【０００４】
【特許文献１】
特開平６−９８０１９号公報
【０００５】
【発明が解決しようとする課題】
しかしながら上記従来の電話交換機では、他の電話機と通話中の電話機の利用者が、その通話を終了するために、受話器をフックスイッチに置こうとした際に、受話器の置き方が悪く、受話器がフックスイッチにバウンドしながら置かれる等により、フックスイッチがＯＦＦ→ＯＮ→ＯＦＦ→ＯＮというように押されることがあり、電話機がオンフック状態に移行したと判定する前に、フックフラッシュ信号が電話交換機に送出されることがあった。
【０００６】
電話交換機は、電話機がオンフック状態に移行したと判定する前に、フックフラッシュ信号を受けると、通話中の他の電話機との通話を保留状態（音声パスを切断）し、所定の時間が経過すると、電話交換機から保留を解除するようにベル呼出（保留再呼）しがかかり、電話機の利用者が電話に応答しても、応答前に通話していた他の電話機がオンフックして電話を切っていれば、ビジートーン等のトーン信号が電話交換機から送られてくるだけで、なぜベル呼出しがかかったか分からないという課題があった。
【０００７】
また、他の第１の電話機と通話中の電話機の利用者が、その通話を終了させたあと、すぐに他の第２の電話機と通話するために発信する際にも、利用者が通話を終了させるためにフックスイッチを所定時間以上十分に押さないと、電話交換機にフックフラッシュ信号が送出され、第１の電話機との通話が保留状態になることがあった。そして、保留状態のまま、他の第２の電話機に発信してしまい、第２の電話機との通話を終了するときに、電話機をオンフック状態にすると、保留状態である第１の電話機が第２の電話機に転送されてしまうという課題があった。
【０００８】
本発明は、上記従来の課題に鑑み、電話交換機に接続された電話機の使用者が意図しないフックフラッシュ信号が電話交換機に送られた場合でも、保留再呼や転送が行われない電話交換機を提供することを目的とする。
【０００９】
【課題を解決するための手段】
本発明は上記従来の課題を解決するために、アナログ電話機を接続することができる内線インターフェイスと、内線インターフェイスに接続されたアナログ電話機のフック操作を検出するフック検出手段と、アナログ電話機の状態を判定する動作判定手段と、フック検出手段で所定時間範囲の時間長のフック操作を受信したときに、動作判定手段によりアナログ電話機が外線通話または内線通話をしている状態であると判定すると、通話を保留状態する制御手段とを備え、制御手段は、通話が保留状態のときに、アナログ電話機が所定時間範囲以上の時間長のフック操作をした判定すると、通話の保留状態を解除し、外線通話または内線通話を終了する第１のモードを有する構成としている。
【００１０】
これにより、電話交換機に接続された電話機の使用者が意図しないフックフラッシュ信号が電話交換機に送られた場合でも、保留再呼や転送が行われない電話交換機を提供することができるようになった。
【００１１】
【発明の実施の形態】
本発明の第１の発明は、アナログ電話機を接続することができる内線インターフェイスと、内線インターフェイスに接続されたアナログ電話機のフック操作を検出するフック検出手段と、アナログ電話機の状態を判定する動作判定手段と、フック検出手段で所定時間範囲の時間長のフック操作を受信したときに、動作判定手段によりアナログ電話機が外線通話または内線通話をしている状態であると判定すると、通話を保留状態する制御手段とを備え、制御手段は、通話が保留状態のときに、アナログ電話機が所定時間範囲以上の時間長のフック操作をした判定すると、通話の保留状態を解除し、外線通話または内線通話を終了する第１のモードを有することを特徴とする電話交換機であり、電話交換機に接続された電話機の使用者が意図しないフックフラッシュ信号が電話交換機に送られて、内線通話又は外線通話が保留状態になっても場合でも、その後受話器を置いてオンフックを継続すれば、電話機がオンフックされたと判定し、保留状態を解除されることになるから、保留再呼や転送が行われない電話交換機を提供することができるという作用を有する。
【００１２】
本発明の第２の発明は、第１の発明において、制御手段は、外線通話または内線通話が保留状態のときに、動作判定手段によりアナログ電話機から外線発信があったと判定すると、通話の保留状態を解除し、外線通話または内線通話を終了する第２のモードを備えることを特徴とする電話交換機であり、外線又は内線の電話機と通話中のアナログ電話機の利用者が、その通話をオンフック要求（所定以上フックスイッチを押下）により終了させ、すぐに他の電話回線（外線）に接続された電話機と通話するために発信しようとしたにもかかわらず、フックスイッチを所定時間以上押されなかったために、電話交換機にフックフラッシュ要求が行われ、外線または他の内線との通話が誤って保留状態になった場合であっても、アナログ電話機から外線発信が行われれば、外線または内線の保留状態を解除し、外線または内線との接続を解除するから、外線または内線の保留状態になったままであることを回避できるとともに、他の電話回線との通話を終了したときに、保留状態の外線または内線が他の電話回線に転送されることがないという作用を有する。
【００１３】
本発明の第３の発明は、第１または２の発明において、制御手段は、外線通話または内線通話が保留状態のときに、動作判定手段によりアナログ電話機から内線発信があったと判定すると、通話の保留状態を解除し、外線通話または内線通話を終了する第３のモードを備えることを特徴とする話交換機であり、外線又は内線の電話機と通話中のアナログ電話機の利用者が、その通話をオンフック要求（所定以上フックスイッチを押下）により終了させ、すぐに他の内線電話機と通話するために発信しようとしたにもかかわらず、フックスイッチを所定時間以上押されなかったために、電話交換機にフックフラッシュ要求が行われ、外線又は他の内線との通話が誤って保留状態になった場合であっても、アナログ電話機から内線発信が行われれば、外線または内線の保留状態を解除し、外線または内線との接続を解除するから、外線または内線の保留状態になったままであることを回避できるとともに、他の電話回線との通話を終了したときに、保留状態の外線または内線が他の内線に転送されることがないという作用を有する。
【００１４】
本発明の第４の発明は、第３の発明において、内線インターフェイス毎に、少なくとも第１のモード、第２のモード、第３のモードのいずれかが設定可能にされたことを特徴とする電話交換機であり、内線電話機の利用者ごとに、利用者の要望に合った保留後の処理をすることができるという作用を有する。
【００１５】
以下、本発明の実施の形態について、図面を参照しながら説明する。
【００１６】
（実施の形態１）
図１は本発明の実施の形態１における電話交換機の構成図である。また、図２は本発明の実施の形態１における内線インターフェイスとアナログ電話機との間の回線（Ｔ−Ｒ）の電圧波形を示す図である。
【００１７】
図１において、１は構内交換機などの電話交換機、２，２ａ，・・，２ｎは電話交換機１に接続されるアナログ電話機である。なお、アナログ電話機２はアナログ電話機２ａ，・・，２ｎの総称である。
【００１８】
１１，１１ａ，１１ｂはアナログ電話回線との接続及び通信を行うアナログ外線インターフェイスであり、後述の制御手段１６の指令により、アナログ電話回線との閉結（オフフック）、開放（オンフック）を行ったり、ダイヤル信号を送出したりすることができる。１３，１３ａ，・・，１３ｎはアナログ電話機２を接続するための内線インターフェイス、１３１ａ，・・，１３１ｎはフック検出回路（本発明の実施の形態１のフック検出手段）であり、内線インターフェイス１３はアナログ電話機２からのＤＴＭＦ信号（ダイヤル信号）を受信したり、フック検出回路１３１ａ，・・，１３１ｎでアナログ電話機２からのフック信号を検出する等の機能を有する。なお、アナログ外線インターフェイス１１、内線インターフェイス１３はそれぞれアナログ外線インターフェイス１１ａ，１１ｂ、内線インターフェイス１３ａ，・・，１３ｎの総称である。
【００１９】
１４は外線インターフェイス１１と内線インターフェイス１３との間や内線インターフェイス１３間の音声信号の接続及び切断を行うためのスイッチ手段であり、例えば、外線インターフェイス１１と内線インターフェイス１３との間の音声パスを接続して、外線インターフェイス１１に接続された電話回線と内線インターフェイス１３に接続されたアナログ電話機２の間で通話状態にする。
【００２０】
また、スイッチ手段１４は、電話回線とアナログ電話機２間の通話状態を保留状態へ移行するときに、外線インターフェイス１１と内線インターフェイス１３との間の音声パスを切断するとともに、スイッチ手段１４に接続されたトーン送出回路（図示せず）と内線インターフェイス１３との音声パスを接続して、ダイヤル可能な旨を報知すべくトーン信号をアナログ電話機２に送出し、また、外線インターフェイス１１とスイッチ手段１４に接続された保留音源（図示せず）との音声パスを接続し、電話回線へ保留音を送出するように制御する。
【００２１】
１５は、プログラムや各種設定情報等を記憶する記憶手段であり、フッキングモード記憶手段１５ａを備えている。ここでフッキングモード記憶手段１５ａは、各内線インターフェイス１３毎に、フッキングモード（フッキングモード１〜フッキングモード４）を対応付けて記憶するものであり、後述の動作判定手段１６ｂがアナログ電話機２が電話回線や他の内線電話機（デジタル電話機も含む）との通話を保留している状態と判定しているときに、アナログ電話機２から送られるオンフック信号（所定時間以上のアナログ電話機２のフックスイッチの押下）を受信すると、以下説明する制御手段１６がフッキングモード記憶手段１５ａに記憶した内容に従ってオンフック信号に対する処理を行うものである。
【００２２】
このフッキングモード１は、アナログ電話機２の操作者が入力した入力内容、（ａ）そのまま終話操作、（ｂ）外線発信操作後の終話操作、（ｃ）内線発信操作後の終話操作に対して、保留している呼を、（ａ）保留維持、（ｂ）外線発信先に転送、（ｃ）内線発信先に転送とするモードであり、フッキングモード２は、（ａ）（ｂ）（ｃ）の操作に対して、（ａ）保留切断、（ｂ）外線発信先に転送、（ｃ）内線発信先に転送とするモードとするモードである。同様に、フッキングモード３は、（ａ）（ｂ）（ｃ）の操作に対して、保留している呼を、（ａ）保留切断、（ｂ）保留切断、（ｃ）転送とするモード、フッキングモード４は、（ａ）保留切断、（ｂ）保留切断、（ｃ）保留切断とするモードとするモードである。フッキングモード記憶手段１５ａにこれら４つのフッキングモードが各内線インターフェイス１３毎に設定されることになる。そして、フッキングモード２の（ａ）、フッキングモード３の（ａ）、フッキングモード４の（ａ）が本発明の第１のモード、フッキングモード３の（ｂ）、フッキングモード４の（ｂ）が本発明の第２のモード、フッキングモード３の（ｃ）が本発明の第３のモードにそれぞれ相当する。
【００２３】
なお、このフッキングモード記憶手段１５ａは、内線電話機２からの操作や電話交換機１に接続したコンピュータ装置（図示せず）からの操作により、各内線電話機のフッキングモードの変更が可能である。
【００２４】
１６は電話交換機１全体を制御する制御手段、１６ａはユーザ操作検知手段、１６ｂは動作判定手段、１７は内線インターフェイス１３とアナログ電話機２とを接続する回線である。
【００２５】
ユーザ操作検知手段１６ａは、アナログ電話機２からフック情報（フックスイッチの押下又は非押下の情報）が送信されたときに、フック検出回路１３１ａ，・・，１３１ｎで検出したフック情報を、オフフック要求、オンフック要求、フックフラッシュ要求等のいずれかであるかを識別する機能を有する。例えば、図２を用いて具体的に説明すると、図２は、通話状態からアナログ電話機２の使用者がフックスイッチに受話器（ハンドセット）を置こうとしたときに、誤ってフックスイッチが所定時間（Ｔ１）押された後、受話器がフックスイッチに置かれた（Ｔ２以上）動作のときの、回線１７の状態を示すものであり、ここで、Ｔ１、Ｔ２が所定時間の範囲（例えば、３００〜８００ｍｓ）であるとユーザ操作検知手段１６ａにより判定されると、ユーザ操作検知手段１６ａによりアナログ電話機２がフックフラッシュ要求を送出したと判定する。Ｔ１、Ｔ２が３００ｍｓよりも小さい場合には、ユーザ操作検知手段１６ａは、アナログ電話機２のフック情報（フックスイッチの押下または非押下の情報）を無視し、Ｔ１、Ｔ２が８００ｍｓよりも大きい場合、ユーザ操作検知手段１６ａは、アナログ電話機２のフック情報をオンフック要求であるとして処理する。
【００２６】
従って、図２のような状態において、Ｔ１が所定時間の範囲であれば、ユーザ操作検知手段１６ａは、アナログ電話機２がフックフラッシュ要求をしたものと識別し、制御手段１６は、通話相手先の電話回線との通話を保留状態にするようにスイッチ手段１４を制御する。なお、図示していないが、Ｖ１の状態からＶ２の状態へ移行し、そのＶ２の状態が一定時間（例えば、９００ｍｓ）続くと、ユーザ操作検知手段１６ａは、アナログ電話機２からのこのフック情報をオンフック要求として識別し、制御手段１６は、アナログ電話機２からのダイヤル等が送信されれば、外線発信等の処理を行う。また、Ｖ１、Ｖ２は回線の電圧を意味し、Ｖ１のときに、アナログ電話機２のフックスイッチが押されている状態、Ｖ２のときに、アナログ電話機２のフックスイッチが押されていない状態である。
【００２７】
動作判定手段１６ｂは、内線インターフェイス１３に接続されたアナログ電話機２が、外線インターフェイス１１を介して電話回線の相手先と通話状態であるのか、アナログ電話機２が、内線インターフェイス１３を介して他の電話機と通話中であるのか、またそれら通話がアナログ電話２のフックフラッシュ信号により保留されている状態なのか等、アナログ電話機２がどのような状態であるかを判定する。
【００２８】
以上のように構成された電話交換機について、図３を用いて以下その動作を説明する。図３は、本発明の実施の形態１における電話交換機において電話機が通話状態からフック操作した場合における電話交換機の動作を示すフローチャートである。
【００２９】
まず、アナログ電話機２が受話器を取り上げ、フックスイッチを所定時間以上非押下状態に置くと、ユーザ操作検知手段１６ａがアナログ電話機２からオフフック要求があると判断し、制御手段１６はスイッチ手段１４を制御してトーン回路とアナログ電話機２が接続さているアナログインターフェイスとの音声パスを接続して、アナログ電話機２にトーンを出力するとともに、ユーザ操作検知手段１６ａをアナログ電話機２からのダイヤル信号を受信できる状態にする。その後アナログ電話機２からダイヤル信号が送信されると、ユーザ操作検知手段１６ａによりそのダイヤル信号を検出し、そのダイヤル信号が外線発信の要求であれば、外線インターフェイス１１を制御して、電話回線を捕捉（オフフック）するとともに、アナログ電話機２から以降送出されるダイヤル信号に基づいて、外線インターフェイス１１から電話回線に対し、ダイヤル信号を送出するとともに、スイッチ手段１４を制御して、捕捉した外線インターフェイス１１とアナログ電話機２が接続されている内線インターフェイス１３との間の音声パスを接続する。
【００３０】
また、ユーザ操作検知手段１６ａによりそのダイヤル信号を検出し、そのダイヤル信号が内線発信の要求であれば、制御手段１６はそのダイヤル信号に対応した内線インターフェイス１３からベル信号を送出し、その内線電話機がベル信号に応答したときに発信先の電話機が接続された内線インターフェイス１３とアナログ電話機２が接続された他の内線インターフェイス１３の間の音声パスを接続する。このような操作により、アナログ電話機２は、電話回線若しくは他の内線電話機と通話中となる。
【００３１】
ここで、アナログ電話機２の使用者が所定時間フックスイッチを押下（誤操作も含む）すると（Ｓ１）、ユーザ操作検知手段１６ａによりアナログ電話機２からフックフラッシュ要求があったと識別し、制御手段１６に通知する。フックフラッシュ要求の通知を受けた制御手段は、アナログ電話機２の通話を仮の保留状態とする（Ｓ２）。なお、保留状態は、外線インターフェイス１１とアナログ電話機２が接続された内線インターフェイス１３との間の音声パスを切断するとともに、スイッチ手段に接続されたトーン送出回路（図示せず）とアナログ電話機２が接続された内線インターフェイス１３との音声パスを接続して、ダイヤル可能な旨を報知すべくトーン信号をアナログ電話機２に送出し、一方、外線インターフェイス１１  （若しくは通話先の内線インターフェイス１３）とスイッチ手段１４に接続された保留音源（図示せず）との音声パスを接続して、電話回線へ保留音を送出するように制御することにより行われる。
【００３２】
その後、ユーザ操作検知手段１６ａは、アナログ電話機２の利用者が行う、アナログ電話機２に備えられたダイヤルキーやフックスイッチの操作を待つ（Ｓ３）。そして、アナログ電話機２の利用者から入力があったときには、ユーザ操作検知手段１６ａは、その入力の内容を識別する。本実施の形態１では、識別内容は、（１）終話操作、（２）本保留操作、（３）外線発信操作、（４）内線発信操作である。ここで、アナログ電話機２のフックスイッチが所定時間以上押下された場合に、終話操作（オンフック要求）がされたものとして識別（Ｓ４）し、アナログ電話機２から本保留の要求ダイヤル（例えば、＊８７）が送信された場合に、本保留操作がされたものと識別する（Ｓ５）。また、アナログ電話機２から外線発信要求がダイヤルされたときに、外線発信操作がなされたものと識別（Ｓ６）し、アナログ電話機２から内線番号がダイヤルされたときに、内線発信操作がなされたものと識別（Ｓ７）する。
【００３３】
まず、ユーザ操作検知手段１６ａにより、アナログ電話機２から（１）終話操作がなされたと識別したときは、制御手段１６は、フッキングモード記憶手段１５ａに基づき、アナログ電話機２がどのフッキングモード（フッキングモード１〜フッキングモード４）に設定されているかを判定する（Ｓ８）。
【００３４】
フッキングモード１に設定されていると判定したときには、ユーザ操作検知手段１６ａにより、アナログ電話機２のフックスイッチが所定時間（例えば、３０ｓ）以上押下されていると判定されると、制御手段１６は、アナログ電話機２に内線インターフェイス１３を介して、ベル信号を出力し、オンフックして保留状態を解除することを促すために報知（保留再呼）する（Ｓ９）。一方、フッキングモード２〜４に設定されていると判定すると、保留を解除して終話制御を行う（Ｓ１０）。
【００３５】
ここで、保留の解除は、電話回線との間で保留状態であるときは、制御手段１６が、外線インターフェイス１１と保留音源との通話パスをスイッチ手段１４により切断するように制御し、外線インターフェイス１１に電話回線を開放（オンフック）するように要求し、さらにアナログ電話機２が電話回線を保留中であるという情報を記憶手段１５の保留状態記憶手段（図示せず）から削除する。また、他の内線電話機との間で保留状態であるときは、制御手段１６が、他の内線電話機を接続した内線インターフェイス１３とトーン回路との通話パスをスイッチ手段１４により切断するように制御し、他の内線電話機を接続した内線インターフェイス１３とトーン回路との通話パスをスイッチ手段１４により接続し、他の内線電話機にビジートーンを送出する。但し、すでに他の内線電話機がオンフック状態（終話状態）であるときには、トーン回路との通話パスは接続しない。また、アナログ電話機２が他の内線電話機を保留中であるという情報を記憶手段１５の保留状態記憶手段（図示せず）から削除する。このように電話交換機１に接続されたアナログ電話機２の使用者が意図しないフックフラッシュ信号が電話交換機１に送られて、内線通話または外線通話が保留状態になっても場合でも、フッキングモード２〜４に設定されておれば、その後受話器を置いてオンフックを継続すれば、電話機がオンフックされたと判定され、保留状態を解除されることになるから、保留再呼や転送が行われなくなる。
【００３６】
次に、ユーザ操作検知手段１６ａにより、アナログ電話機２から（２）本保留操作がなされたと識別したときは、制御手段１６は、フッキングモード記憶手段１５ａに基づき、アナログ電話機２がどのフッキングモードに設定されているかを判定する（Ｓ１１）。フッキングモード１に設定されていると判定したときには、ユーザ操作検知手段１６ａにより、仮の保留から本保留の状態に移行し、保留状態を続ける（Ｓ１２）。またフッキングモード２〜４に設定されていると判定した場合も同様に、本保留の状態に移行し、保留状態を続ける（Ｓ１３）。なお、仮の保留は転送操作すると転送が可能であるが、本保留は転送操作しても転送されないモードである。
【００３７】
また、ユーザ操作検知手段１６ａにより、アナログ電話機２から（３）外線発信操作がなされたと識別すると、制御手段１６は、フッキングモード記憶手段１５ａに基づき、アナログ電話機２がどのフッキングモードに設定されているかを判定する（Ｓ１４）。フッキングモード１、２に設定されていると判定したときには、制御手段１６は、保留状態を維持したまま、外線発信動作を継続する（Ｓ１５）。一方、フッキングモード３、４に設定されていると判定すると、保留状態を解除して、外線発信動作を継続する（Ｓ１６）。なお、保留状態の解除動作は、上述したものと同様である。従って、外線または内線電話機と通話中のアナログ電話機２の利用者が、オンフックして通話を終了しようとしたにも関わらず、フックスイッチを押す時間が十分でなく、電話交換機１に接続されたアナログ電話機２の利用者が意図しないフックフラッシュ信号が電話交換機１に送られて、内線通話または外線通話が保留状態になっても場合でも、アナログ電話機２から外線発信が行われれば、外線または内線の保留状態を解除し、外線または内線との接続を解除するから、外線または内線の保留状態になったままであることを回避できるとともに、他の電話回線との通話を終了したときに、保留状態の外線または内線が他の電話回線に転送されることがない。
【００３８】
また、ユーザ操作検知手段１６ａにより、アナログ電話機２から（４）内線発信操作がなされたと識別したときは、制御手段１６は、フッキングモード記憶部１５ａに基づき、アナログ電話機２がどのフッキングモードに設定されているかを判定する（Ｓ１７）。フッキングモード１、２、３に設定されていると判定したときには、制御手段１６は、保留状態を維持したまま、内線発信動作を継続する（Ｓ１８）。一方、フッキングモード４に設定されていると判定すると、保留状態を解除して、内線発信動作を継続する（Ｓ１９）。なお、保留状態の解除動作は、上述したものと同様である。従って、外線または内線の電話機と通話中のアナログ電話機２の利用者が、オンフックして通話を終了しようとしたにも関わらず、フックスイッチを押す時間が十分でなく、電話交換機１に接続されたアナログ電話機２の利用者が意図しないフックフラッシュ信号が電話交換機１に送られて、内線通話又は外線通話が保留状態になっても場合でも、アナログ電話機２から内線発信が行われれば、外線または内線の保留状態を解除し、外線または内線との接続を解除するから、外線または内線の保留状態になったままであることを回避できるとともに、他の電話回線との通話を終了したときに、保留状態の外線または内線が他の内線に転送されることがない。
【００３９】
【発明の効果】
本発明は、フック検出手段で所定時間範囲の時間長のフック操作を受信したときに、動作判定手段によりアナログ電話機が外線通話または内線通話をしている状態であると判定すると、通話を保留状態とし、その後アナログ電話機が所定時間範囲以上の時間長のフック操作をした判定すると、通話の保留状態を解除し、外線通話または内線通話を終了する第１のモードを有するという構成にしたので、電話交換機に接続された電話機の使用者が意図しないフックフラッシュ信号が電話交換機に送られて、内線通話または外線通話が保留状態になっても場合でも、その後受話器を置いてオンフックを継続すれば、電話機がオンフックされたと判定し、保留状態を解除されることになるから、保留再呼や転送が行われない電話交換機を提供することができる。
【図面の簡単な説明】
【図１】本発明の実施の形態１における電話交換機の構成図
【図２】本発明の実施の形態１における内線インターフェイスとアナログ電話機との間の回線（Ｔ−Ｒ）の電圧波形を示す図
【図３】本発明の実施の形態１における電話交換機において電話機が通話状態からフック操作した場合に電話交換機の動作を示すフローチャート
【符号の説明】
１  電話交換機
２，２ａ，・・，２ｎ  アナログ電話機
１１，１１ａ，１１ｂ  外線インターフェイス
１３，１３ａ，・・，１３ｎ  内線インターフェイス
１３１ａ，・・，１３１ｎ  フック検出回路
１４  スイッチ手段
１５  記憶手段
１５ａ  フッキングモード記憶手段
１６  制御手段
１６ａ  ユーザ操作検知手段
１６ｂ  動作判定手段
【図１】
2004282338.tif 000003
【図２】
2004282338.tif 000004
【図３】
2004282338.tif 000005